(57)【要約】【課題】人が簡単に設置でき、不使用時はコンパクトに収納でき、十分な高さを確保した遮光空間を構築する日よけを提供する。【解決手段】建築物の壁面（２２）に固定された日よけ（１）であって、一方端が壁面（２２）に固定され、所定空間に伸張可能なシェード（１７）と、第１端（１１ｂ）が壁面（２２）もしくは壁面に交差する面に着脱可能に固定され、前記壁面に交差する面より鉛直方向上方かつ、壁面（２２）から離れる方向かつ壁面（２２）に交差する面（２３）に向かって弧状に伸びる一対のポール（１１）と、一対のポール（１１）に設けられたシェード係合部材（１２）とを備え、シェード（１７）は、伸張され、壁面（２２）に固定された一方端と対向する他方端が、シェード係合部材（１２）に係合されることを特徴とする日よけ（１）。【選択図】図１
2020070547.tif 000002
【特許請求の範囲】
【請求項１】
建築物の壁面に固定された日よけであって、
一方端が前記壁面に固定され、所定空間に伸張可能なシェードと、
第１端が前記壁面もしくは前記壁面に交差する面に着脱可能に固定され、前記壁面に交差する面より鉛直方向上方かつ、前記壁面から離れる方向で前記壁面に交差する面に向かって弧状に伸びる一対のポールと、
前記一対のポールに設けられたシェード係合部材とを備え、
前記シェードは、伸張され、前記壁面に固定された一方端と対向する他方端が、前記シェード係合部材に係合されることを特徴とする日よけ。
【請求項２】
請求項１に記載の日よけであって、
前記壁面に交差する面は地面または地面上に形成された床面であることを特徴とする日よけ。
【請求項３】
請求項１または２に記載の日よけであって、
前記シェードは、前記一対のポールの鉛直方向上方で伸張されることを特徴とする日よけ。
【請求項４】
請求項３に記載の日よけであって、
前記一対のポールそれぞれの第１端から、前記第１端と対向する第２端まで挿通されたテンションコードが、前記ポールの第１端の固定箇所よりも前記壁面から離れた場所でかつ、前記壁面に交差する面に固定されることを特徴とする日よけ。
【請求項５】
請求項４に記載の日よけであって、
前記テンションコードは、前記壁面に交差する面上の１点で固定されることを特徴とする日よけ。
【請求項６】
請求項３から５のいずれか一項に記載の日よけであって、
前記シェード係合部材は、一方の前記ポールの第２端と他方の前記ポールの第２端とを結ぶ位置に伸びる棒状であることを特徴とする日よけ。
【請求項７】
請求項６に記載の日よけであって、
前記シェードの他方端には、前記棒状の前記シェード係合部材と係合する係合部が設けられていることを特徴とする日よけ。
【請求項８】
請求項１または２に記載の日よけであって、
前記シェードは、前記一対のポールの鉛直方向下方に位置されることを特徴とする日よけ。
【請求項９】
請求項１から８のいずれか一項に記載の日よけであって、
前記ポールは、前記壁面に固定されたポール受けに、前記第１端が挿入されて固定されることを特徴とする日よけ。
【請求項１０】
請求項１から９のいずれか一項に記載の日よけであって、
前記ポールは、複数の棒材を接合して形成され、不使用時は、接合部を外して個々の棒材にして収納されることを特徴とする日よけ。
【発明の詳細な説明】
【技術分野】
【０００１】
本発明は、建築物の窓等の開口部に設けられた日よけに関する。
【背景技術】
【０００２】
従来、住宅の窓等の開口部付近について、開口部への日差しや雨の入射を遮るための日よけが設けられてきた。冬季等、日差しを屋内に取り入れたい時期は日よけが不要となるため、必要に応じて出し入れできる日よけが求められている。したがって、日よけが必要な時は、布製のシェードを張り出す形の日よけが一般的に用いられている。
【０００３】
例えば、特許文献１に示されるように、住宅等の建築物の壁面に固定された日よけは、不使用時はキャンバス布製のシェードが、ローラ等の巻取部によって巻き取られた状態で窓上の壁面に格納されている。そして、一方が壁面（窓枠）に固定され、他方が壁面に対して回動可能なアームを備えている。そして、この回動可能なアームの他方端にはシェードが固定されており、このアームを回動することにより、アームの他方端に固定されたシェードが引き出され、窓の上に日よけを作る構造となっている。
【０００４】
特許文献１に示される日よけの場合、アームが建築物の壁面に固定されており、かつアームの回動によってシェードを引き出す構成となっているため、遮光できる最大領域は、壁面からアームの長さ分だけである。ここで、アームの長さを長くすれば遮光できる領域は広くなるが、次のような問題がある。すなわち、アームの支点は、アームの長さ分だけローラから離れた位置となる。
【０００５】
アームが長くなるほど、アームの支点、すなわち建築物の壁面に固定される端部が窓の下方に移動することになるため、日よけを引き出すと、窓の大部分が日よけで隠れることになる。また、シェードは、巻取部からアームの他方端までを斜めに渡るようになるため、シェードによって覆われる空間は、天井部が斜めとなった空間になる。したがって、仮にアームが長くなったとしても、窓の大部分がシェードで隠れ、シェードが斜めに張り出した状況となるため、窓からの眺望は確保されない。加えて、アームにかかる負荷と、壁面に固定されたアームが耐えられる力との関係によって、アームの長さには限界がある。
【０００６】
一方で、掃き出し窓等から連続してデッキ等を設け、オープンエアスペースにし、このオープンエアスペースも生活空間とする住宅構造も見受けられる。特許文献１に示されるような日よけでは、天井部が斜めとなり、低くなってしまうため、このようなオープンスペースには適さない。
【０００７】
オープンスペースに対する日よけとして、傘部分が大きなパラソル等を床部分に固定する形態も考えられる。パラソルの傘部分を開くことにより日よけとなるわけであるが、傘で覆われる空間を広くするためには、パラソルをオープンスペースの中央に配置するのが効率的である。しかしながら、中央にパラソルを配置することにより、オープンスペースの空間がパラソルによって分断されることにより、空間用途に制限が生じることになる。また、人が手動で傘部分を開閉することになるため、傘の大きさは、人が開閉できる範囲に制限される。結果、遮光できる面積にも限界がある。また、床部分にパラソルを固定した場合、不使用時も床部分からパラソルが突き出た状態となり、空間利用の妨げとなる。
【０００８】
掃き出し窓等から続くデッキ等、生活空間として使用されるオープンエアスペース等は、ある程度の広さを必要としており、ある程度の広さ及び高さを有する空間全体を覆うことができる日よけが求められている。一方で、日よけを使用しない時は、日よけを構成する物の一部が、オープンエアスペースの空間利用の障害となるような状況は避けることが望ましい。また、人が手動で設置する上で、できるだけ少ない力で簡単に設置できることが望ましい。
【０００９】
このような従来の日よけの問題から、広い空間を覆うことができ、不使用時はコンパクトに格納でき、少ない力で簡単に設置できる日よけが求められている。
【先行技術文献】
【特許文献】
【００１０】
【特許文献１】特開２０１２−０７２５８１号公報
【発明の概要】
【発明が解決しようとする課題】
【００１１】
そこで本発明は、上記従来の問題点に鑑みなされたものであり、人が簡単に設置でき、不使用時はコンパクトに収納でき、十分な高さを確保した遮光空間を構築する日よけを提供することを目的とする。
【課題を解決するための手段】
【００１２】
上記課題を解決するために、本発明の日よけは、建築物の壁面に固定された日よけであって、一方端が壁面に固定され、所定空間に伸張可能なシェードと、第１端が壁面もしくは壁面に交差する面に着脱可能に固定され、壁面に交差する面より鉛直方向上方かつ、壁面から離れる方向で壁面に交差する面に向かって弧状に伸びる一対のポールと、一対のポールに設けられたシェード係合部材とを備え、シェードは、伸張され、壁面に固定された一方端と対向する他方端が、シェード係合部材に係合されることを特徴とする。
【００１３】
本発明の一態様では、壁面に交差する面は地面または地面上に形成された床面である。
【００１４】
本発明の一態様では、シェードは、一対のポールの鉛直方向上方で伸張される。
【００１５】
本発明の一態様では、一対のポールそれぞれの第１端から、第１端と対向する第２端まで挿通されたテンションコードが、ポールの第１端の固定箇所よりも壁面から離れた場所でかつ、壁面に交差する面に固定される。
【００１６】
本発明の一態様では、テンションコードは、壁面に交差する面上の１点で固定される。
【００１７】
本発明の一態様では、シェード係合部材は、一方のポールの第２端と他方のポールの第２端とを結ぶ位置に伸びる棒状である。
【００１８】
本発明の一態様では、シェードの他方端には、棒状のシェード係合部材と係合する係合部が設けられている。
【００１９】
本発明の一態様では、シェードは、一対のポールの鉛直方向下方に位置される。
本発明の一態様では、ポールは、壁面に固定されたポール受けに、第１端が挿入されて固定される。
【００２０】
本発明の一態様では、ポールは、複数の棒材を接合して形成され、不使用時は、接合部を外して個々の棒材にして収納される。
【発明の効果】
【００２１】
本発明では、人が簡単に設置でき、不使用時はコンパクトに収納でき、十分な高さを確保した遮光空間を構築する日よけを提供することができる。
【図面の簡単な説明】
【００２２】
【図１】第１実施形態における日よけ１を示す斜視図である。
【図２】図１の日よけ１を示す側面図である。
【図３】図１の日よけ１を示す正面図である。
【図４】第１実施形態におけるポール１１とシェード係合部材１２とテンションコード１３との関係を示す模式的上面図である。
【図５】第１実施形態における固定具１４と固定具受け１５との係合関係を示す模式図であり、同図（ａ）は模式的正面図であり、同図（ｂ）は模式的側面図である。
【図６】第１実施形態におけるシェード係合部材１２とシェード１７の係合部１８との係合の様子を示す模式的側面図である。
【図７】第１実施形態におけるポール１１の組み立てを示す模式図である。
【図８】第１実施形態における固定具１４を固定具受け１５に係合させてポール１１を弧状にしならせた状態で固定し、シェード１７を引き出す前の状態を示す斜視図である。
【図９】第１実施形態における作業者Ｐがシェード１７を引き出している途中を示す模式的斜視図である。
【図１０】第２実施形態における日よけ１を示す斜視図である。
【図１１】図１０の日よけ１を示す側面図である。
【図１２】図１０の日よけ１を示す正面図である。
【図１３】図１０の日よけ１のポール１０１及びポール受け１６を示す側面図である。
【図１４】第２実施形態におけるシェード係合部材１０２とシェード１０７側の係合部１０８とを示す模式図であり、同図（ａ）は、一方の係合部１０８における係合を示す正面図であり、同図（ｂ）は、一方の係合部１０８における係合を示す側面図であり、同図（ｃ）は、一方の係合部における係合を示す斜視図である。
【発明を実施するための形態】
【００２３】
（第１実施形態）
以下、本発明の実施の形態について、図面を参照して詳細に説明する。各図面に示される同一または同等の構成要素、部材、処理には、同一の符号を付すものとし、適宜重複した説明は省略する。
【００２４】
図１は本実施形態の日よけ１を示す斜視図である。図２は図１の日よけ１を示す側面図である。図３は図１の日よけ１を示す正面図である。図４はポール１１とシェード係合部材１２とテンションコード１３との関係を示す模式的上面図である。本実施形態の日よけ１は、住宅等の建築物の掃き出し窓等の開口部に設けられている。しかしながら、本発明の日よけ１は、このような開口部に近接した配置に限らず、建築物の壁面に固定できる環境であれば、適用可能である。
【００２５】
日よけ１は、一対のポール１１と、一対のポール１１間に位置するシェード係合部材１２と、このポール１１内に挿通され、ポール１１に張力を加えてポール１１を所定位置に固定するテンションコード１３と、テンションコード１３を床面に固定する固定具１４と、キャンバス布製のシェード１７と、シェード１７の伸張される先端に設けられ、前記シェード係合部材１２と係合する係合部１８と、シェード１７を巻回するローラ１９と、ローラ１９及びシェード１７を格納するシェード格納部２０とを備えている。
【００２６】
本実施形態の日よけ１は、住宅等の建築物の掃き出し窓２１（「窓」ともいう）が設けられた壁２２に固定されている。また、詳細は後述するが、本建築物は、掃き出し窓２１から庭に連続するようにデッキ２３を備えており、このデッキ２３が掃き出し窓２１から続くオープンエアスペースとして活用され、必要に応じて日よけ１で覆われる領域となる。
【００２７】
ポール１１は、詳細は後述するが、強度があり弾性のある素材で形成された中空の棒材である。例えば、キャンプ用テントの骨部材等に用いられるような軽量かつ強度があり、十分にしなる材質の棒部材が望ましい。
図４に示すように、ポール１１は、中空の複数の棒部材１１ａをつなぎ合わせて、所定の  長さにされる。ポール１１の長さは、シェード１７を引き出したい領域、すなわち、日よけ１で覆う領域の広さに応じて決定される。
【００２８】
そして、ポール１１は、日よけ１が必要な時は先の複数の棒部材１１ａを組み立てて、後述するポール受け１６に第１端が挿入されて固定される。そして、詳細は後述するが、ポール１１自体は弧を描くようにデッキ２３上に配置され、ポール１１の上にシェード１７が載置されることによって、シェード１７の支持部材として機能する。一方で、日よけ１が不要な時は、ポール１１は取り外され、また複数の棒部材１１ａに分解できるので、コンパクトに格納できる。
【００２９】
シェード係合部材１２は、シェード１７が張り出された時に、シェード１７の先端をポール１１上に固定するために設けられたものである。本実施形態のシェード係合部材１２は、ポール１１と同じ素材で形成された中空の棒材である。
【００３０】
図４に示すように、一対のポール１１を組み立てた際に、両ポール１１の間で、両ポールに渡るようにシェード係合部材１２が位置する。本実施形態では、後述するテンションコード１３が、ポール１１及びシェード係合部材１２に通されている。本実施形態では、図４中向かって左側のポール１１Ｌの第１端１１ｂｌから挿通されたテンションコード１３が第２端１１ｃｌを出た後、シェード係合部材１２に挿通される。そして、シェード係合部材１２の右側に出た後、固定具１４を経由して左側から再度シェード係合部材１２に挿通され、向かって右側のポール１１Ｒの第２端１１ｃｒに挿通される。そして、右側のポール１１Ｒを通って、第１端１１ｂｒから出ることによって、ポール１１とシェード係合部材１２が連結される構成となっている。
【００３１】
なお、本実施形態は、テンションコード１３を用いて、ポール１１とシェード係合部材１２とを連結する構成としたが、本発明はこれに限らず、溶接等で予めポール１１の棒部材１１ａの一つと固定されていてもよい。また、シェード係合部材１２は、一対のポール１１間に位置する棒部材ではなく、ポール１１の第２端１１ｃにそれぞれ設けられた係合部材であってもよい。シェード係合部材１２とシェード１７との係合については後述する。
【００３２】
テンションコード１３は、ナイロン製等十分な強度がある紐材で構成されている。図４に示すように、一方端は、左側のポール１１Ｌの第１端１１ｂｌに固定され、他方端は右側のポール１１Ｒの第１端１１ｂｒに固定されることにより、ポール及びシェード係合部材１２を連結し、かつポール１１のしなる方向をコントロールする。
【００３３】
図１−３に示すように、テンションコード１３には、固定具１４が取り付けられ、この固定具１４がデッキ２３の床に固定されることでテンションコード１３は引っ張られ、この張力にしたがってポール１１が所定方向にしなる仕組みとなっている。
【００３４】
固定具１４は、テンションコード１３をデッキ２３の所定位置に固定するために設けられたものである。固定具１４は、フック形状となっており、図２に示されるように、デッキ２３の床内部に設けられた固定具受け１５に引っ掛ける形で固定される。
【００３５】
固定具受け１５は、デッキ２３の所定位置に、図２に示すように、デッキ２３の床の一部が切り取られ、床面よりも低い位置に据え付けられている。
【００３６】
図５は、固定具１４と固定具受け１５との係合関係を示す模式図であり、同図（ａ）は模式的正面図であり、同図（ｂ）は模式的側面図である。図５（ａ）に示すように、固定具受け１５はリング状の部分を有し、そのリング状の部分に固定具１４のフックが引っ掛けられることによって、両者は係合する。この係合によって、テンションコード１３の張力は維持され、ポール１１が湾曲した形で所定位置に固定されることになるので、この係合は風等外力がかかっても外れない強度を有するものであるのが望ましい。なお、本実施形態は、このようなフックによる係合としたが、本発明はこれに限らず、他の公知の係合方法であってもよい。
【００３７】
一対のポール受け１６は、ポール１１の第１端１１ｂを所定位置に固定するために設けられたものであり、本実施形態では、掃き出し窓２１の左右端付近の壁２２にそれぞれ固定されている。ポール受け１６は円筒形の形状をしており、ポール１１を設置する時は、ポール１１の第１端１１ｂをこのポール受け１６に挿入し、上述した固定具１４を固定具受け１５に引っ掛けることによって、テンションコード１３がポール受け１６から固定具受け１５まで張り、ポール１１自身の張力も作用して、図１−図３に示すように、ポール１１がポール受け１６から鉛直方向に延び、さらに壁２２から離れる方向に弧状になって固定される。
【００３８】
上述したように、シェード１７はポール１１の上方に引き出され、ポール１１が支持部材となってシェード１７はデッキ２３上に張り出されることになるため、ポール１１の弧はある程度の高さを持った弧にならなければならない。したがって、ポール受け１６は、ポール１１がある程度の位置まで鉛直方向に向くように支持できる程度の高さを有するものが望ましい。この高さは、求めるポール１１の弧の高さ等によって適宜調整される。
シェード１７は、キャンバス布など、風雨に対して耐久性がある布で形成されている。本実施形態のシェード１７は、長方形状であり、一辺が後述するローラ１９に固定され、対向する他辺には、シェード係合部材１２と係合する係合部１８が設けられている。なお、本実施形態のシェード１７は、長方形状としたが、日よけ１で覆う領域の面積、形状に合わせて正方形等、様々に構成されればよい。
【００３９】
図６は、シェード係合部材１２とシェード１７の係合部１８との係合の様子を示す模式的側面図である。
【００４０】
係合部１８は、基端がシェード１７の他辺と接合され、先端がシェード係合部材１２の軸径に合わせた大きさに円弧状に曲げられている。作業の詳細は後述するが、シェード１７を伸張した際は、係合部１８の円弧状に曲げられている部分をシェード係合部材１２に係合させることによって、シェード１７がポール１１上に固定される。
【００４１】
なお、本実施形態では、シェード係合部材１２はポール１１間にわたる棒部材としたが、これに限らず、各ポール１１の第２端１１ｃに設けられたものであってもよい。例えば、図示しないが、一対のポール１１の各第２端１１ｃには、ポール１１の伸びる方向と直交する方向に延在するシェード係合部材１２が形成され、第２端１１ｃはシェード係合部材１２とでＴ字状になっている。ポール１１それぞれの第２端１１ｃに設けられたシェード係合部材１２に、図６で示したのと同様に係合部１８を引っ掛けて、シェード１７を固定する形であってもよい。
【００４２】
ローラ１９は、シェード格納部２０と一体構成で、窓２１の上方に取り付けられている。ローラ１９は不図示の軸部材と軸部材周囲の保持部材とからなる円柱状の部材であり、シェード１７の一辺を固定している。本実施形態における固定は、シェード１７の一辺全体を保持部材で挟み込む形（不図示）としているが、本発明はこれに限らず、公知の固定方法であればよい。
【００４３】
ローラ１９は不図示の駆動機構によって軸部材を軸として回転し、この回転によってシェード１７を巻き取る。駆動機構は手動によるものでもよいし、電動によるものでもよい。このようにして、日よけ１不使用時は、シェード１７はローラ１９によって巻き取られた状態で格納される。図１に示すように、本実施形態では、日よけ１は、掃き出し窓２１から連続するデッキ２３部分を覆う構成としているため、ローラ１９は、窓２１よりも上方に設け、このローラ１９部分を起点として、シェード１７が引き出されてデッキ２３上に伸張されることとなる。
【００４４】
また、本実施形態のローラ１９は、シェード１７引き出し時は、手動による引き出しでローラが回転し、シェード１７が所定位置まで引き出されるとその位置で止める不図示のストッパが設けられている。シェード１７格納時、シェード１７をさらに少しだけ引き出すとストッパが解除され、ローラ１９に設けられたばね（不図示）の力でローラ１９が回転し、シェード１７を巻き取る構造となっている。
【００４５】
シェード格納部２０は、ローラ１９の上方で壁２２に固定されており、ローラ１９全体を上方から覆う構造となっている。このシェード格納部２０でシェード１７を内部に格納することにより、シェード不使用時においてもシェード１７が風雨にさらされることを防止する。また、シェード格納部２０の位置及び大きさは、ローラ１９が回転し、シェード１７を引き出したり、逆に巻き込んで収納する上で支障のない大きさ及び位置に設定されている。
【００４６】
窓（掃き出し窓）２１は、居間など採光性と開放感が求められる部屋に配置されており、デッキ２３と連続した空間を形成できるよう、人の背の高さ以上の開口部を具えている。建築物の壁２２は、窓２１とほぼ同一平面を形成しており、本実施形態では鉛直方向に延びている。
【００４７】
デッキ２３は、屋内の床の高さと同程度の高さで形成された床面である。本実施形態では、このデッキ２３の領域に日よけ１を設けることで、視界や活動領域に支障をきたすことなく、日差しや雨等をしのぐことができるオープンエアな空間となる。なお、本実施形態は、日よけ１を張り出す空間として、デッキ２３を設け、屋内と同じ床の高さとなるようにしたが、本発明はこれに限らず、デッキ２３を設けていない地面上にも日よけ１を張り出すことができる。
【００４８】
次に、シェード１７をデッキ２３上に張り出す時の手順について説明する。図７は、ポール１１の組み立てを示す模式図である。
【００４９】
上述したように、ポール１１は複数の棒部材１１ａをつなぎ合わせて構成されている。したがって、図７に示すように、テンションコード１３を通した状態で一方の棒部材１１ａの先端（径がわずかに細くなっている）を次の棒部材１１ａの後端に挿入し、両者を接合する（工程１）。このように、テンションコード１３を通した状態で、棒部材１１ａの後端に次の棒部材１１ａの先端を差し込んでいくことにより、所定の長さのポール１１が完成する。そして、一対のポール１１Ｌ、１１Ｒとシェード係合部材１２との連結は上述した通り、テンションコード１３を中に通すことによって行われている。
【００５０】
次に、このようにして所定長さにでき上がった一対のポール１１Ｌ、１１Ｒの第１端１１ｂを、ポール受け１６に差し込む（工程２）。次に、ポール１１Ｌ、１１Ｒの第１端１１ｂをポール受け１６に差し込んだ状態で、テンションコード１３を引っ張り、固定具１４を固定具受け１５に係合させる（工程３）。
【００５１】
図８は、固定具１４を固定具受け１５に係合させてポール１１を弧状にしならせた状態で固定し、シェード１７を引き出す前の状態を示す斜視図である。このように、テンションコード１３を固定することにより、ポール１１が自身の弾性も作用し、上方に向かって大きく弓なりにしなった形で固定される。図２及び図８に示すように、ポール１１の最高点までの高さＨ１は、窓２１の高さＨ２とほぼ同じかそれ以上となっている。
【００５２】
図９は、作業者Ｐがシェード１７を引き出している途中を示す模式的斜視図である。
【００５３】
同図に示すように、作業者Ｐは、両手を上に上げてシェード１７の他辺に設けられた係合部１８を持ってシェード１７を引き出し、ポール１１の上方を通るようにして、シェード係合部材１２まで引き出す（工程４）。
【００５４】
シェード係合部材１２まで引き出したら、上述したように、係合部１８をシェード係合部材１２に引っかけて係合固定する（工程５）。このようにして、図１−図３に示すように、シェード１７が所定位置に張り出された日よけ１を形成することができる。
【００５５】
日よけ１格納時は、シェード係合部材１２の下に作業者が入り、シェード１７の
係合部１８を少しだけシェード係合部材１２よりもさらに引き出して係合部１８を外す（工程６）。上述したように、ローラ１９の回転によってシェード１７が自動的に巻き取られ、シェード格納部２０に格納される。
【００５６】
その後、固定具１４を外し、ポール１１をポール受け１６から抜き取る（工程７）。そして、ポール１１を複数の棒部材１１ａに分解後、これらを束ねて日よけ１格納作業が完了する（工程８）。ポール１１が取り外された後は、窓２１の両端にポール受け１６とシェード格納部２０があるのみで、すっきりとした外観となる。
【００５７】
このように、ポール１１を用いて高さのある支柱を着脱自在に作り、このポール１１の上にシェード１７を張ることにより、デッキ２３から十分な高さがあり、デッキ２３上での活動範囲の障害にならない日よけ１を設置することができる。また、シェード１７が十分な高さで設置されているので、窓２１からの視界を遮ることがなく、屋内とデッキ２３の空間を連続させて開放的なオープンスペースとして活用することができる。また、ポール１１の組み立て、設置、シェード１７の引き出し、固定はそれぞれ簡単な操作であり、このような簡単な操作で日よけ１を設置し、格納することができる。加えて、ポール１１は複数の棒部材１１ａに分解してコンパクトにできるため、不使用時はコンパクトな状態で日よけ１を格納することができる。
【００５８】
（第２実施形態）
第１実施形態では、ポール１１の上方にシェード１７を配置する構成としたが、本実施形態ではポール１１の下方にシェード１７を配置し、ポール１１の先端でシェード１７の先端を固定する構成を説明する。
【００５９】
図１０は、本実施形態の日よけ１を示す斜視図である。図１１は、図１０の日よけ１を示す側面図である。図１２は、図１０の日よけ１を示す正面図である。図１３は、図１０の日よけ１のポール１０１及びポール受け１６を示す側面図である。
【００６０】
本実施形態の日よけ１におけるポール１０１は、第１実施形態と同様、窓２１の両側部分の壁２２に設置されたポール受け１６にて壁２２側には固定される。また、第１実施形態と同様、複数の棒部材１０１ａを作業者が組み立てることにより、長いポール１０１が形成されるものとする。
【００６１】
本実施形態のポール１０１は、第１実施形態のポール１１よりも長さが長く、また、弧状に曲がる方法が第１実施形態と異なる。第１実施形態では、第２端１１ｃから伸びるテンションコード１３をデッキ２３の床に固定し、このテンションコード１３の張力も利用して弓なりにしならせ、弧状にしていた。すなわち、テンションコード１３を介して、ポール１１の第２端１１ｃを間接的に固定して弧状を形成していた。一方で、本実施形態のポール１０１には、テンションコードが挿通されておらず、ポール１０１自身の自重によって弓なりにしなり、ポール受け１６にて固定された第１端１０１ｂから自由端となっている第２端１０１ｃ間で、鉛直方向上方に突出する弧状となる。デッキ２３の床面から弧の頂点までの高さＨ３は、床面から窓２１の上方までの高さＨ２よりも高くなっている。このように、弧の高さＨ３が窓２１の高さＨ２よりも高くなるように、ポール１０１の長さ、強度、ポール受け１６の鉛直方向の長さ（高さ）が設定されている。
【００６２】
なお、ポール１０１自体の自重で弓なりにしならせるのではなく、もともと、ポール１０１を構成する各棒部材１０１ａを予めカーブがついた形状としておき、これらをつなぎ合わせることによって予めつけられたカーブでポール１０１が弧状に形成されるものであってもよい。
【００６３】
本実施形態のポール１０１の第２端１０１ｃは、上述したようにデッキ２３の床や壁２２には固定されておらず自由端となっている。したがって、ポール１０１自体は、ポール受け１６でのみ固定されることとなる。
【００６４】
また、本実施形態におけるシェード係合部材１０２は、第１実施形態のシェード係合部材１２のように、一対のポール１１間に渡るように位置するのではなく、各ポール１０１の第２端１０１ｃに設けられている。詳細は後述するが、本実施形態のシェード１０７は、ポール１０１の鉛直方向下方に引き出され、ポール１０１の下方で固定される。具体的には、各ポール１０１の第２端１０１ｃをシェード１０７に取り付けた後、シェード係合部材１０２で固定する。シェード係合部材１０２は、伸縮可能なリング状であり、第２端１０１ｃを輪の中に差し込むことで、ポール１０１がシェード１０７の係合部１０８から抜けるのを防止する。
【００６５】
本実施形態におけるシェード１０７は、不使用時は、第１実施形態と同様にローラ１９によって巻回され、シェード格納部２０内に格納されており、使用時は、シェード格納部２０から引き出され、所定範囲まで伸張される仕組みとなっている。シェード１０７のローラ１９に固定されている一辺（基端）は第１実施形態と同様であるが、一辺に対向し、引き出される他辺（先端）は、第１実施形態とは異なる係合部１０８を備えている。すなわち、第１実施形態の係合部１８は、棒状のシェード係合部材１２に引っかかるように丸く曲げられた金具材であったが、本実施形態の係合部１０８は、シェード１０７の他辺の両端に開けられた穴部材となる。
【００６６】
図１４は、シェード係合部材１０２とシェード１０７側の係合部１０８とを示す模式図であり、同図（ａ）は、一方の係合部１０８における係合を示す正面図であり、同図（ｂ）は、一方の係合部１０８における係合を示す側面図であり、同図（ｃ）は、一方の係合部における係合を示す斜視図である。
【００６７】
シェード１０７の他辺の両端には、係合部１０８がシェード１０７面に対して直交する方向に立設されている。そして、これらの係合部１０８には中央に穴が設けられている。この係合部１０８の穴に、シェード１０７の上方から、ポール１０１の第２端１０１ｃが差し込まれる。そして、ポール１０１の差し込み方向と逆側、すなわち、ポール１０１の第２端１０１ｃからシェード係合部材１０２がかぶせられ、係合部１０８に押し付ける形でポール１０１の第２端に固定される。このようにして、ポール１０１の第２端１０１ｃは、シェード係合部材１０２によって、シェード１０７の係合部１０８から抜けないように固定される。
【００６８】
次に、本実施形態の日よけ１の組み立て方法を説明する。まず、ポール１０１を組み立てるが、これは、第１実施形態と同様の方法で複数の棒部材１０１ａをつなぎ合わせて組み立てられる。そして、一対のポール１０１が完成したら、いったんデッキ２３の床に置く（工程１０１）。
【００６９】
次に、作業者は、シェード１０７を引き出し、ポール１０１の長さよりも長めに引き出したら、第１実施形態と同様に、ローラ１９に設けられたストッパにより、その引き出した長さ分で固定されるようにする（工程１０２）。
【００７０】
シェード１０７の他辺（先端）に設けられた係合部１０８に、ポール１０１の第２端１０１ｃを差し込み、シェード係合部材１０２でシェード１０７をポール１０１の第２端１０１ｃに固定する（工程１０３）。
【００７１】
この固定作業が終了したら、作業者はポール１０１を持ち、第１端１０１ｂをポール受け１６に差し込む（工程１０４）。
【００７２】
両ポール１０１を差し込むことによりシェード１０７の位置が決定するので、少し引き出して離すと、第１実施形態と同様に、ローラ１９に設けられたストッパが解除され、ローラ１９に設けられたばねの力によってローラ１９が回転し、シェード１０７が巻き取られる（工程１０５）。
【００７３】
引き出されているシェード１０７の長さが、壁２２からポール１０１の第２端までの距離相当となると、ポール１０１の張力とシェード１０７の巻き取り力が均衡し、ローラ１９の回転が止まり、シェード１０７は所定位置に固定されることになる（工程１０６）。
【００７４】
また、日よけ１を格納する時は、次のようにして行われる。まず、ポール１０１をポール受け１６から外し、デッキ２３の床に置く（工程１０７）。
【００７５】
そして、シェード係合部材１０２をシェード１０７から外し、ポール１０１の第２端１０１ｃをシェード１０７の係合部１０８から抜き、シェード係合部材１０２と係合部１０８との係合を解除する（工程１０８）。
【００７６】
次に、シェード１０７を第１実施形態と同様に少し引き出して、ストッパを解除し、ローラ１９のばね力を利用してローラ１９で巻き取る（工程１０９）。次に、ポール１０１を複数の棒部材１０１ａに分解し、格納する（工程１１０）。
【００７７】
なお、本実施形態では、先にシェード１０７をポール１０１に取り付けてから、ポール１０１をポール受け１６に差し込む手順としたが、先にポール１０１をポール受け１６に差し込み、その後にシェード１０７を取り付ける手順であってもよい。
【００７８】
また、本実施形態のポール１０１は第２端１０１ｃが自由端としたが、固定される形態であってもよい。すなわち、第１実施形態のポール１１及びテンションコード１３、固定具１４を用いて、ポール１１による支柱を組み立て、その後、ポール１１の下方にシェード１０７を引き出し、シェード係合部材１２に不図示の係合部を用いて固定する形であってもよい。この場合の係合部は、シェード係合部材１２に巻き付けるのに十分な長さを持つ布等で、シェード係合部材に係合部を巻き付けて、面ファスナーで固定する構成等であればよい。
【００７９】
このように、ポール１０１を用いて高さのある支柱を着脱自在に作り、このポール１０１の下にシェード１０７を張ることにより、デッキ２３から十分な高さがあり、デッキ２３上での活動範囲の障害にならない日よけ１を設置することができる。また、シェード１０７が十分な高さで設置されているので、窓２１からの視界を遮ることがなく、屋内とデッキ２３の空間を連続させて開放的なオープンスペースとして活用することができる。
【００８０】
また、ポール１０１の組み立て、設置、シェード１０７の引き出し、固定はそれぞれ簡単な操作であり、このような簡単な操作で日よけ１を設置し、格納することができる。加えて、ポール１０１は複数の棒部材１１ａに分解してコンパクトにできるため、不使用時はコンパクトな状態で日よけ１を格納することができる。
【００８１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００８２】
１１、１０１…ポール
１１Ｌ…左側のポール
１１Ｒ…右側のポール
１１ａ、１０１ａ…棒部材
１１ｂ、１０１ｂ…ポールの第１端
１１ｃ、１０１ｃ…ポールの第２端
１２、１０２…シェード係合部材
１３…テンションコード
１４…固定具
１５…固定具受け
１６…ポール受け
１７…シェード
１８…（シェード側の）係合部
１９…ローラ
２０…シェード格納部
２１…窓（掃き出し窓）
２２…壁（壁面）
２３…デッキ
【図１】
2020070547.tif 000003
【図２】
2020070547.tif 000004
【図３】
2020070547.tif 000005
【図４】
2020070547.tif 000006
【図５】
2020070547.tif 000007
【図６】
2020070547.tif 000008
【図７】
2020070547.tif 000009
【図８】
2020070547.tif 000010
【図９】
2020070547.tif 000011
【図１０】
2020070547.tif 000012
【図１１】
2020070547.tif 000013
【図１２】
2020070547.tif 000014
【図１３】
2020070547.tif 000015
【図１４】
2020070547.tif 000016